【事件の表示】
　特許第２７３００５０号「液晶表示装慣」の請求項１ないし２に係る特許に対する特許異議の申立てについて、次のとおり決定する。
【結論】
　訂正を認める。
　特許第２７３００５０号の請求項１ないし２に係る特許を維持する。
【理由】
Ｉ　手続きの経緯
　本件特許第２７３００５０号発明（以下「本件特許発明」という）は、昭和６３年５月１１日に特許出願され、平成９年１２月１９日にその特許の設定登録がなされたものであり、その後、平成１０年９月２５日に小笠原範夫より、また、平成１０年９月２４日に諸田昭夫より特許異議の申立てがなされ、平成１０年１２月９日に取消理由通知がなされ、平成１１年３月８日に訂正請求がなされ、平成１１年５月１２日に訂正拒絶理由通知がなされ、平成１１年５月１２日に手続補正されたものである。
ＩＩ　訂正の適否
１　訂正の要旨
　前記訂正の要旨は、本件特許発明の明細書を訂正請求書に添付された訂正明細書の通り、すなわち下記の通り訂正することを求めるものである。
　　　　　　　　　　　記
訂正事項▲１▼
　特許請求の範囲【請求項１】中の「パル方式またはセカム方式の映像信号を表示する液晶表示装置において」を「液晶表示体を用いてパル方式またはセカム方式の映像信号を表示する液晶表示装置において」と訂正し、「各フィールドの映像信号毎に一定の割合で走査線を間引き、間引かれる該走査線が奇数フィールドと偶数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」と訂正する。
訂正事項▲２▼
　特許請求の範囲【請求項２】中の「液晶表示体の走査電極を選択する走査電極駆動回路を備えた液晶表示装置において」を「液晶表示体の走査電極を順次選択して走査電極駆動信号を出力する走査電極駆動回路を備えた液晶表示装置において」と訂正し、「交互に出力するセレクト回路」を「交互にインヒビット信号を出力するセレクト回路」と訂正し、「前記走査電極駆動回路は、前記セレクト回路の出力時に、前記走査電極の選択を禁止する」を「前記走査電極駆動回路は、前記セレクト回路からの前記インヒビット信号の出力時に、該インヒビット信号を入力して、前記走査電極への前記走査電極駆動信号の出力を禁止してなる」と訂正する。
訂正事項▲３▼
　平成９年７月２２日付け全文補正明細書第２頁第７行目〜第１０行日中の「パル方式またはセカム方式の映像信号を表示する液晶表示装置において」を「液晶表示体を用いてパル方式またはセカム方式の映像信号を表示する液晶表示装置において」と訂正し、「各フィールドの映像信号毎に一定の割合で走査線を間引き、間引かれる該走査線が奇数フィールドと偶数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」と訂正する。
訂正事項▲４▼
　同　明細書第２頁第１１行目〜第１６行目中の「液晶表示体の走査電極を選択する走査電極駆動回路を備え」を「液晶表示体の走査電極を順次選択して走査電極駆動信号を出力する走査電極駆動回路を備えた液晶表示装置において」と訂正し、「交互に出力するセレクト回路」を「交互にインヒビット信号を出力するセレクト回路」と訂正し、「前記走査電極駆動回路は、前記セレクト回路の出力時に、前記走査電極の選択を禁止する」を「前記走査電極駆動回路は、前記セレクト回路からの前記インヒビット信号の出力時に、該インヒビット信号を入力して、前記走査電極への前記走査電極駆動信号の出力を禁止してなる」と訂正する。
訂正事項▲５▼
　同　明細書第４頁第５行目中の「走査を適度に間引く」を「走査線を適度に間引く」と訂正する。
訂正事項▲６▼
　同　明細書第４頁第９行目〜第１２行目中の「パル方式またはセカム方式の映像信号を表示する液晶表示装置において」を「液晶表示体を用いてパル方式またはセカム方式の映像信号を表示する液晶表示装置において」と訂正し、「各フィールドの映像信号毎に一定の割合で走査線を間引き、間引かれる該走査線が奇数フイールドと偶数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」と訂正し、「特定走査」を「特定走査線」と訂正する。
訂正事項▲７▼
　同　明細書第４頁第１４行目〜第１８行目中の「液晶表示体の走査電極を選択する走査電極駆動回路を備えた液晶表示装置において」を「液晶表示体の走査電極を順次選択して走査電極駆動信号を出力する走査電極駆動回路を備えた液晶表示装置において」と訂正し、「交互に出力するセレクト回路」を「交互にインヒビット信号を出力するセレクト回路」と訂正し、「前記走査電極駆動回路は、前記セレクト回路の出力時に、前記走査電極の選択を禁止する」を「前記走査電極駆動回路は、前記セレクト回路からの前記インヒビット信号の出力時に、該インヒビット信号を入力して、前記走査電極への前記走査電極駆動信号の出力を禁止してなる」と訂正する。
訂正事項▲８▼
　同　明細書第４頁第２６行目中の「走査方」を「走査法」と訂正する。
２　訂正の目的・範囲の適否と拡張・変更の存否
　前記訂正事項▲１▼〜訂正事項▲８▼について検討する。
前記訂正事項▲１▼▲２▼は、特許請求の範囲の減縮を目的とするものであり、
前記訂正事項▲３▼▲４▼▲６▼▲７▼は、訂正事項▲１▼▲２▼の特許請求の範囲の減縮に伴った、明瞭でない記載の釈明を目的とするものであり、
前記訂正事項▲５▼は、明瞭でない記載の釈明を目的とするものであり、
前記訂正事項▲８▼は、誤記の訂正を目的とするものである。
　そして、前記各訂正は、願書に添付した明細書又は図面に記載した事項の範囲内であり、実質上特許請求の範囲を拡張し又は変更するものでない。
３　独立特許要件の存否
▲１▼　訂正後の本件請求項１，２に係る特許発明
　訂正後の本件特許発明の目的、効果は「特定走査線を間引いても画素のピッチが粗くならないので、異種放送方式の映像の画質の劣化を少なくすることができ」、「走査線を間引いたことによるコントラストのムラを抑制できる」ことであり、その発明の構成は、
「（１）液晶表示体を用いてパル方式またはセカム方式の映像信号を表示する液晶表示装置おいて、各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなることを特徴とする液晶表示装置。
（２）液晶表示体の走査電極を順次選択して走査電極駆動信号を出力する走査電極駆動回路を備えた液晶表示装置において、フィールド毎に所定数の走査線を繰り返し計数する計数手段と、フィールド毎に前記計数手段の第１の計数値または前記計数手段の第２の計数値で交互にインヒビット信号を出力するセレクト回路とを有し、前記走査電極駆動回路は、前記セレクト回路からの前記インヒビット信号の出力時に、該インヒビット信号を入力して、前記走査電極への前記走査電極駆動信号の出力を禁止してなることを特徴とする液晶表示装置。」である。
▲２▼　甲各号証記載発明
　当審が取消理由で通知した特願昭６２−１０１９号（特開昭６３−１６９８８４号公報参照）の願書に最初に添付した明細書又は図面（以下「先願明細書１」という。）には、「液晶パネルを用いた従来の画像表示装置では、水平走査線数の異なる方式で伝送されるテレビジョン信号を全て良好に表示することができないという問題が生じる。そこで、この発明は上記事情を考慮してなされたもので、１フィールドの水平走査線数が異なる線数のテレビジョン方式で伝送されるテレビジョン信号の表示に対応し得る極めて良好な画像表示装置」（第３頁左下欄１６行〜第４頁左上欄４行）を目的とし、「Ｙドライバー２７は、ＰＡＬ方式のテレビジョン信号の供給時にスイッチ２８を電源Ｖｃｃ側に切換え、ＮＴＳＣ方式のテレビジョン信号の供給時にスイッチ２８を接地側に切換えることにより、それぞれ各画素２４の垂直方向の走査を異なった形態で制御し、両方式のテレビジョン信号の画像表示をそれぞれ良好に行えるようにしている。」（第４頁左下欄４行〜１０行）、「シフトレジスタ３０の第３番目と第５番目の出力端ＱＣ，ＱＥは、上記ナンド回路３６，３８の入力端にそれぞれ接続され、各ナンド回路３６，３８の出力端は、上記アンド回路３２の入力端に接続されている。」（第４頁右下欄１６行〜２０行）、「今、垂直走査毎に反転するフレームパルスＦＰがＨレベルで、スイッチ２８が電源Ｖｃｃ側（Ｈレベル）に接続されているとすると、ナンド回路３６の出力は、表示開始後、３Ｈ，８Ｈ，１３Ｈ，１８Ｈ・・・・毎にＬレベルとなり、それ以外の期間はＨレベルとなる。さらに、上記ナンド回路３８も同様に動作する。ただし、この場合、フレームパルスＦＰがＬレベルで、スイッ２８が電源Ｖｃｃ側（Ｈレベル）に接続されている状態で、ナンド回路３８の出力は、表示開始後、５Ｈ、１０Ｈ、１５Ｈ、２０Ｈ・・・毎にＬレベルとなり、それ以外の期間はＨレベルとなる。」（第５頁右上欄第１１行〜同頁左下欄第２行）、「このため、ナンド回路３６，３８の出力がＬレベルの間は、アンド回路３２の作用により、クロックＨＣＫがシフトレジスタ３４に供給されなくなって、シフト動作が行なわれなくなる。また、各ナンド回路３６，３８には、フレームパルスＦＰが互いに反転されて入力されている。このため、ナンド回路３６，３８は、１垂直走査期間中はどちらか一方の出力がＨレベルに固定され、他方の出力のみが、上述したようにＬレベルになり得ることになる。」（第５頁左下欄第３行〜第１２行）、「換言すれば、シフトレジスタ３４は、奇数フィールド期間中は表示開始後３Ｈ，８Ｈ，１３Ｈ，１８Ｈ・・・・・・目にシフト動作を行なわなくなり、偶数フィールド期間中は表示開始後５Ｈ，１０Ｈ，１５Ｈ，２０Ｈ・・・・・・目にシフト動作を行なわなくなる。」（５頁右下欄４行〜８行）、「また、前記スイッチ２８を接地側に切換えると、ナンド回路３６，３８の出力が共にＨレベルに固定されるので、シフトレジスト３４にはクロックＨＣＫが全て供給されるようになり、上述した間引き動作は行われなくなる。このため、ＮＴＳＣ方式のテレビジョン信号を従来と同様な動作で表示することができる。」（第６頁左下欄５行〜１１行）、「ところで、上記のように水平走査ラインを間引く場合、第５図に示すように、奇数および偶数フィールド共に５、１０、１５、２０…・・・本目を間引くことも考えられるが、このようにすると、１フィールド当り連続した２つの信号が消滅してしまうので、画質として不連続が目立ちやすくなる。これに対して、上記実施例で示したように、間引く水平走査ラインを、奇数及び偶数フィールドで連続しないように分散させることにより、画質の不連続は目立ちにくくなる。特に、小型の液晶テレビジョン受像機では、奇数と偶数フィールドとを重ねて同じ水平方向画素ラインに供給しているため、垂直方向の解像度は悪化しており、上記実施例のような形式で間引いたＰＡＬ方式のテレビジョン信号は、ほとんど劣化が認められなくなる。」（第６頁左下欄第１２行〜右上欄第７行）、とする記載事項から成る発明が記載されている。
　また、当審が取消理由で通知した刊行物１（特開昭６２−５１８７９号公報）には、
表示品質が良く、低コストの液晶テレビパネルの駆動方式を目的とし、
「ベース信号ＢＳのエッヂと合成映像信号Ｖの輝度信号部分の交差する走査線の表示は行わず、第１フィールドでは第２の走査線、第２フィールドでは第３の走査線が非表示となり、」（第３頁右下欄２行〜６行）、「第２図は、テレビ画像を液晶パネルに表示した場合の映像信号走査線と走査電極との関係について、本発明の駆動方式の場合と従来の駆動方式の場合とを比較した模式説明図である。実線は第１フィールドの走査線、破線は第２のフィールドの走査線であり、・・Ｔ１ＢとＴ２ＢとＴ３ＢとＴ４Ｂは本発明の方式の第１と第２と第３と第４の走査電極を示しており、○と×で示した走査線は本発明の方式でそれぞれ表示と非表示の走査線を表している。このようにして本発明の方式は非表示の走査線を平均的に分布させるために不自然さが少なく、」（第４頁左上欄５行〜１９行）、「３０３は・・ベース信号ＢＳと画像データのサンプリング期間を与える信号ＳＰをつくる合成回路である。」（第４頁右上欄１１行〜１６行）、「パル、セカム方式にも応用できる」（第５頁左上欄２〜３行）、とする記載事項よりなる発明が記載されている。
▲３▼　訂正後の本件請求項１，２に係る特許発明の新規性・進歩性
　上記先願明細書１および刊行物１の何れにも、訂正後の本件請求項１に係る特許発明の構成要素である▲１０▼「走査線を間引くタイミングにはインヒビット信号を出力する制御回路と、液晶表示体の走査電極を順次選択して走査電極駆動信号を出力する走査電極駆動回路とを備え、走査電極駆動回路は、制御回路が走査線を間引くタイミングで出力した前記インヒビット信号を入力すると、前記走査電極への前記走査電極駆動信号の出力を禁止してなる」点および訂正後の本件請求項２に係る特許発明の構成要素である▲１１▼「フィールド毎に計数手段の第１の計数値または計数手段の第２の計数値で交互にインヒビット信号を出力するセレクト回路を有し、走査電極駆動回路は、セレクト回路からの前記インヒビット信号の出力時に、該インヒビット信号を入力して、走査電極への走査電極駆動信号の出力を禁止してなる」点はいずれも記載されていない。　即ち、訂正後の本件請求項１および２に係る特許発明が、上記先願明細書１に記載された発明であるとも、上記刊行物１に記載された発明に基づいて、当業者が容易に発明をすることができたとも認められない。
▲４▼　当審が訂正拒絶理由として通知した、特許請求の範囲【請求項１】における「制御回路を備えた」についての訂正は、平成１１年５月１２日付け手続補正により「「各フィールドの映像信号毎に一定の割合で走査線を間引き、間引かれる該走査線が奇数フィールドと偶数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」」と訂正された。この結果、当該訂正は、特許請求の範囲の減縮と認められ、特許法第１２０条の４第３項で準用する同法第１２６条３項の規定に適合することとなったので、先の訂正拒絶理由を解消した。
▲５▼　独立特許要件の存否
　▲１▼〜▲４▼を総合して判断すると、訂正後における特許請求の範囲の請求項１，２に係る発明は、特許出願の際独立して特許を受けることができない発明とすることはできない。
４　訂正の適否
　１〜３を総合して判断すると、前記訂正請求は、特許法第１２０条の４第２項第１号乃至第３号に掲げる事項を目的とし、且つ同条第３項で準用する特許法第１２６条第２項乃至第４項の規定に適合するので、当該訂正を認める。
ＩＩＩ　特許異議の申立てについて
１　特許異議申立の理由の要旨
▲１▼異議申立人小笠原範夫の主張の要旨：
　本件請求項１及び２に係る発明は、先願明細書である甲第１号証（特願昭６２−１０１９号（特開昭６３−１６９８８４号公報参照））に記載された発明であるから、特許法第２９条の２の規定により特許を受けることができないものであり、また、本件請求項１及び２に係る発明は、甲第２号証（特開昭５６−１４２９６号公報）および甲第３号証（米国特許第３８４０６９５号明細書）に記載された発明に基づいて容易に発明することができたものであるから、特許法第２９条２項の規定により特許を受けることができない、とするものである。
▲２▼異議申立人諸田昭夫の主張の要旨：
　本件請求項１および２に係る発明は、先願明細書である甲第４号証（特願昭６２−２４０３８４号（特開昭６４−８２０９７号公報参照））に記載された発明であるから、特許法第２９条の２の規定により特許を受けることができないものであり、また、本件請求項１に係る発明は、甲第５号証（特開昭６２−５１８７９号公報）に記載された発明であるから特許法第２９条１項３号の規定により特許を受けることができないものであり、また、本件請求項２に係る発明は、甲第５号証および甲第６号証（特開昭５６−１４２９６号公報）に記載された発明に基づいて、当業者が容易に発明することができたものであるから、特許法第２９条２項の規定により特許を受けることができない、とするものである。
２　特許異議申立の理由の適否
　訂正後の本件請求項１、２に係る特許発明は、上記ＩＩの３で詳細に述べた様に、取消理由通知で示した刊行物１である甲第５号証に記載された発明から容易に発明をすることができたものとすることはできない。
　また、訂正後の本件請求項１、２に係る特許発明は、上記ＩＩの３で詳細に述べた様に、取消理由通知で示した先願明細書１である甲第１号証に記載された発明であるとすることもできない。
　また、他の甲号証には、上記ＩＩの３の▲３▼で述べた訂正後の本件請求項１，２に係る特許発明の▲１０▼、▲１１▼の点が記載されていない。
　尚、他に本件特許を取り消すべき理由を発見しない。
ＩＶ　結び
　以上述べた通り、前記訂正請求はこれを認め、特許異議の申立は理由がなく、他に本件特許を取り消すべき理由を発見しない。
　よって、結論のとおり決定する。
【異議決定日】
平成１１年６月９日（１９９９．６．９）
【訂正の要旨】
訂正の要旨
訂正事項▲１▼
　特許請求の範囲【請求項１】中の「パル方式またはセカム方式の映像信号を表示する液晶表示装置において」を「液晶表示体を用いてパル方式またはセカム方式の映像信号を表示する液晶表示装置において」と訂正し、「各フィールドの映像信号毎に一定の割合で走査線を間引き、間引かれる該走査線が奇数フィールドと偶数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」と訂正する。
訂正事項▲２▼
　特許請求の範囲【請求項２】中の「液晶表示体の走査電極を選択する走査電極駆動回路を備えた液晶表示装置において」を「液晶表示体の走査電極を順次選択して走査電極駆動信号を出力する走査電極駆動回路を備えた液晶表示装置において」と訂正し、「交互に出力するセレクト回路」を「交互にインヒビット信号を出力するセレクト回路」と訂正し、「前記走査電極駆動回路は、前記セレクト回路の出力時に、前記走査電極の選択を禁止する」を「前記走査電極駆動回路は、前記セレクト回路からの前記インヒビット信号の出力時に、該インヒビット信号を入力して、前記走査電極への前記走査電極駆動信号の出力を禁止してなる」と訂正する。
訂正事項▲３▼
　平成９年７月２２日付け全文補正明細書第２頁第７行目〜第１０行目中の「パル方式またはセカム方式の映像信号を表示する液晶表示装置において」を「液晶表示体を用いてパル方式またはセカム方式の映像信号を表示する液晶表示装置において」と訂正し、「各フィールドの映像信号毎に一定の割合で走査線を間引き、間引かれる該走査線が奇数フィールドと偶数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」と訂正する。
訂正事項▲４▼
　同　明細書第２頁第１１行目〜第１６行目中の「液晶表示体の走査電極を選択する走査電極駆動回路を備え」を「液晶表示体の走査電極を順次選択して走査電極駆動信号を出力する走査電極駆動回路を備えた液晶表示装置において」と訂正し、「交互に出力するセレクト回路」を「交互にインヒビット信号を出力するセレクト回路」と訂正し、「前記走査電極駆動回路は、前記セレクト回路の出力時に、前記走査電極の選択を禁止する」を「前記走査電極駆動回路は、前記セレクト回路からの前記インヒビット信号の出力時に、該インヒビット信号を入力して、前記走査電極への前記走査電極駆動信号の出力を禁止してなる」と訂正する。
訂正事項▲５▼
　同　明細書第４頁第５行目中の「走査を適度に間引く」を「走査線を適度に間引く」と訂正する。
訂正事項▲６▼
　同　明細書第４頁第９行目〜第１２行目中の「パル方式またはセカム方式の映像信号を表示する液晶表示装置において」を「液晶表示体を用いてパル方式またはセカム方式の映像信号を表示する液晶表示装置において」と訂正し、「各フィールドの映像信号毎に一定の割合で走査線を間引き、間引かれる該走査線が奇数フィールドと副数フィールドで隣接しないように制御する制御回路を備えた」を「各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなる」と訂正し、「特定走査」を「特定走査線」と訂正する。
訂正事項▲７▼
　同　明細書第４頁第１４行目〜第１８行目中の「液晶表示体の走査電極を選択する走査電極駆動回路を備えた液晶表示装置において」を「液晶表示体の走査電極を順次選択して走査電極駆動信号を出力する走査電極駆動回路を備えた液晶表示装置において」と訂正し、「交互に出力するセレクト回路」を「交互にインヒビット信号を出力するセレクト回路」と訂正し、「前記走査電極駆動回路は、前記セレクト回路の出力時に、前記走査電極の選択を禁止する」を「前記走査電極駆動回路は、前記セレクト回路からの前記インヒビット信号の出力時に、該インヒビット信号を入力して、前記走査電極への前記走査電極駆動信号の出力を禁止してなる」と訂正する。
訂正事項▲８▼
　同　明細書第４頁第２６行目中の「走査方」を「走査法」と訂正する。
（５４）【発明の名称】
液晶表示装置
（５７）【特許請求の範囲】
（１）　液晶表示体を用いてパル方式またはセカム方式の映像信号を表示する液晶表示装置おいて、各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなることを特徴とする液晶表示装置。
（２）　液晶表示体の走査電極を順次選択して走査電極駆動信号を出力する走査電極駆動回路を備えた液晶表示装置において、フィールド毎に所定数の走査線を繰り返し計数する計数手段と、フィールド毎に前記計数手段の第１の計数値または前記計数手段の第２の計数値で交互にインヒビット信号を出力するセレクト回路とを有し、前記走査電極駆動回路は、前記セレクト回路からの前記インヒビット信号の出力時に、該インヒビット信号を入力して、前記走査電極への前記走査電極駆動信号の出力を禁止してなることを特徴とする液晶表示装置。
【発明の詳細な説明】
〔産業上の利用分野〕
　本発明は、液晶表示体を用いてテレビ映像を映し出す液晶表示装置に関する。さらに詳しくは、異種放送方式、すなわちＮＴＳＣ、パル、セカム等、異なった放送方式に対応可能な液晶表示装置に関する。
［従来の技術］
　液晶表示装置は、ＮＴＳＣ方式用では走査線数は２２０〜２４０本、パルまたはセカム方式用では２６０〜２８０本である。この走査線数は、表示体の大きさにもよるが、ノンインターレースを含むＣＲＴの走査線数（ＮＴＳＣ方式用では５２５本、パルまたはセカム方式用では６２５本）の約１／２であり、液晶表示体の駆動上、技術的な対応が最も容易な本数となっている。また、使用する放送方式により走査線数は異なるが、表示画面の縦横比はそれぞれ同一である。
〔発明が解決しようとする課題〕
　ここで、液晶表示体を使用した受像装置においては、走査線数が固定であるために、ＰＡＬ（パル）・ＳＥＣＡＭ（セカム）方式の映像信号をＮＴＳＣ方式の受像装置に走査線を間引いて表示するのが一般的であった。
　ところがこの場合単純に走査線を間引くと、６走査線に１走査線つまり１２走査線毎に隣り合わせの２走査線分を間引くことになってしまう。これでは画面のピッチが粗くなり、画像の劣化を招いてしまう。またただ単に間引くと、走査電極間に選択期間の差が発生し、コントラストのムラが生じる。
〔課題を解決するための手段〕
　本発明の液晶表示装置は、液晶表示体を用いてパル方式またはセカム方式の映像信号を表示する液晶表示装置おいて、各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビット信号を入力すると、前記走査電極への前記走査電極駆動信号の出力を禁止してなることを特徴とする。
　または、液晶表示体の走査電極を順次選択して走査電極駆動信号を出力する走査電極駆動回路を備えた液晶表示装置において、フィールド毎に所定数の走査線を繰り返し計数する計数手段と、フィールド毎に前記計数手段の第１の計数値または前記計数手段の第２の計数値で交互にインヒビット信号を出力するセレクト回路とを有し、前記走査電極駆動回路は、前記セレクト回路からの前記インヒビット信号の出力時に、該インヒビット信号を入力して、前記走査電極への前記走査電極駆動信号の出力を禁止してなることを特徴とする。
〔作用〕
　間引く走査線を奇数フィールドと偶数フィールドで隣接しないようにずらすことにより、まとまった情報の欠落がなくなる。
　また走査電極を選択する選択期間が、走査線を間引くタイミングで非選択となるようにすることができ、特定の走査電極が長く選択されることを防止できる。
〔実施例〕
　以下、本発明の実施例を図面に基づいて説明する。
　第２図に本発明の走査法の説明図を示す。左側にパル・セカム方式での正常な走査法、右側にＮＴＳＣ方式へ対応した走査法を表す。走査線の番号は便宜的に付したものであり、実線は走査電極毎の区分、破線はフィールド毎の区分である。偶数番号は偶数フィールド、奇数番号は奇数フィールドにおける走査を表している。すなわち、１番と２番は同一走査電極に書き込まれ、３番走査は間引かれる。次に、４番と５番、６番と７番がそれぞれ同一走査電極に書き込まれ、８番走査は間引かれる。以下、間引かれるのは１５番、２０番、２７番、３２番…というように、偶数フィールドと奇数フィールドで位置がずれ隣接しないものが間引かれる。図からわかるように、間引く位置が離れるため自然である。
　第１図に本発明の制御回路の一部における一実施例を示す。この回路は、走査電極駆動信号としての選択タイミングを定めるクロック信号ＹＣＬＫと、選択の間引きを定めるインヒビット信号ＹＩＮＨとを形成するものである。
　信号ＨＳＹＮＣは水平同期信号、信号ＶＳＹＮＣは垂直同期信号に相当するものであるが、ここでは適当に整形されている信号系として扱う。
　６進バイナリカウンタ１１のクロック信号は信号ＨＳＹＮＣ、リセット入力は信号ＶＳＹＮＣであり、Ｑ１、Ｑ２、Ｑ３はバイナリ出力である。ゲート回路１２はカウント２でハイになり、ゲート回路１３はカウント４でハイになる。
　フィールド判別回路１４は信号ＶＳＹＮＣをクロック信号として、その出力Ｑハイまたはローに変化させ、フィールドの偶奇を判別するものである。偶奇のフィールド毎の間引くタイミングはそれぞれ別々に制御し、Ｑがハイの場合には、セレクト回路１５の出力はカウント２のときハイとなり、Ｑがローの場合には、セレクトカウント１５の出力はカウント４のときハイとなるようにする。したがって、フレーム中の走査番号３，８，１５，２０，２７，３２，…のときに対応してセレクト回路１５の出力をハイにすることができる。
　セレクト回路１５の出力が信号ＹＩＮＨである。そして、この反転信号と信号ＨＳＹＮＣを遅延させた信号のアンドをとったものが信号ＹＣＬＫであり、走査電極駆動用のクロック信号となる。遅延回路１６は、信号ＨＳＹＮＣを若干遅延させて信号ＹＩＮＨのタイミングに合わせるものである。
　第４図は本発明の走査電極駆動信号の選択タイミングを決めるシフトレジスター回路であり、第３図は、比較例としてあげた、従来のシフトレジスター回路である。Ｑは出力である。
　第３図に示されるような従来のシフトレジスタでは、信号ＹＣＬＸをクロック信号として、信号ＶＳＹＮＣをデータ信号として入力した場合、間引くタイミングでクロックが休止するため、そのタイミングに該当する出力ＱＹｊ′で選択期間が２倍となってしまう。
　しかし、本実施例のシフトレジスター回路では、信号ＨＳＹＮＣと信号ＹＩＮＨの反転信号とをアンドゲートを通して出力しているため、間引くタイミングでの選択期間が非選択期間に変化し、ＱＹｊは適切な波形となる。
　以上説明した第１図の制御回路と第４図のシフトレジスター回路とを走査電極駆動回路に組み込むことによって、走査線を適度に間引くことが可能となる。そして、これにより、ＮＴＳＣ方式用の液晶表示体をパル・セカム方式に適用することができる。
〔発明の効果〕
　本発明の液晶表示装置は、液晶表示体を用いてパル方式またはセカム方式の映像信号を表示する液晶表示装置おいて、各フィールドの映像信号毎に一定の割合で走査線を間引くと共に、間引かれる該走査線が奇数フィールドと偶数フィールドで隣接しないように該走査線を間引くタイミングを制御し、当該走査線を間引くタイミングにはインヒビット信号を出力する制御回路と、前記液晶表示体の走査電極を順次選択して走査電極駆動信号を出力する走査電極駆動回路とを備え、前記走査電極駆動回路は、前記制御回路が前記走査線を間引くタイミングで出力した前記インヒビツト信号を入力すると、前記走査電極への前記走査電極駆動信号の出力を禁止してなることにより、特定走査線を間引いても画素のピッチが粗くならないので、異種放送方式の映像の画質の劣化を少なくすることができる。
　また液晶表示体の走査電極を順次選択して走査電極駆動信号を出力する走査電極駆動回路を備えた液晶表示装置において、フィールド毎に所定数の走査線を繰り返し計数する計数手段と、フィールド毎に前記計数手段の第１の計数値または前記計数手段の第２の計数値で交互にインヒビット信号を出力するセレクト回路とを有し、前記走査電極駆動回路は、前記セレクト回路からの前記インヒビット信号の出力時に、該インヒビット信号を入力して、前記走査電極への前記走査電極駆動信号の出力を禁止してなることことにより、液晶表示体の各走査電極を選択する選択期間が、間引き時に走査電極が選択され続けないように、走査電極駆動回路を構成できるので、走査線を間引いたことによるコントラストのムラを抑制できる。
　本発明は簡便な液晶表示式受像装置に最適であり、携帯性を重視し、汎世界的に使用されるシステムに適用すれば、非常に効果的である。
【図面の簡単な説明】
　第１図は本発明の制御回路の一部の一実施例を示す図。
　第２図は本発明の走査法の説明図。
　第３図は従来のシフトレジスター回路を示す図。
　第４図は本発明の実施例のシフトレジスター回路を示す図。
　　１１……６進バイナリカウンタ
　　１２……ゲート回路
　　１３……ゲート回路
　　１４……フィールド判別回路
　　１５……セレクト回路
　　１６……遅延回路